(57)【特許請求の範囲】
【請求項１】
人工肛門に装着される排便パウチの排気孔に取り付けられる人工肛門排便パウチ用消臭具であって、多孔質マットに金属酸化物を主成分とする触媒を担持させた成形体であるか、または前記成形体を少なくとも備え、
前記金属酸化物を主成分とする触媒は、二酸化マンガンと酸化銅とを含む、
ことを特徴とする人工肛門排便パウチ用消臭具。
【請求項２】
前記多孔質マットが、熱可塑性樹脂の不織布又は発泡体からなることを特徴とする請求項１に記載の人工肛門排便パウチ用消臭具。
【請求項３】
前記金属酸化物を主成分とする触媒が、副成分として活性炭を含むことを特徴とする請求項１又は２に記載の人工肛門排便パウチ用消臭具。
【請求項４】
前記人工肛門排便パウチ用消臭具は板状の形状を有し、一方の面に粘着剤の層が形成されていることを特徴とする請求項１から３のいずれか一項に記載の人工肛門排便パウチ用消臭具。
【発明の詳細な説明】
【技術分野】
【０００１】
本発明は、人工肛門排便パウチ用消臭具に関する。
【背景技術】
【０００２】
大腸ガン等の手術の際に肛門を切除した患者には腹部に人工肛門が施される。人工肛門は排便をコントロールすることができないため、人工肛門に袋状の排便パウチを装着し、人工肛門から排泄される便を排便パウチに収容するようにしている。
【０００３】
この排便パウチは、腹部に貼り付けて人工肛門に装着されるものであり、排便パウチを人体と一体化させることによって、日常生活の活動に支障がなくなり、社会復帰が容易になる。
【０００４】
しかし、排便パウチを密封袋状に形成しても、排便の臭気を排便パウチ内に閉じ込めることは困難であり、人工肛門と排便パウチとの接続箇所などから排便の臭気が漏出するおそれがある。
【０００５】
このように排便パウチから臭気が漏れると、衣服を通して生活空間に放出され、周囲の人に不快感を与えることになり、このことが周囲に対する精神的な負担となって、人工肛門患者が社会復帰する上での大きな支障になっていた。
【０００６】
そこで、これまでに、排便パウチに排気孔を設けてこの排気孔に消臭具を取り付け、排気孔から消臭具を通して排便の臭気を排出させることによって、消臭具で臭気を消臭した状態で放出する消臭具が提案されている（例えば、特許文献１、２を参照）。
【先行技術文献】
【特許文献】
【０００７】
【特許文献１】特開平８−１５０１６５号公報
【特許文献２】特開平８−１０３４５９号公報
【発明の概要】
【発明が解決しようとする課題】
【０００８】
このような消臭具によれば、消臭効果を発現する点では優れたものであるが、消臭剤を中空容器の中に収納して消臭効果を発揮させているため、排便パウチの袋と比較して硬い構造となっており、人体に装着したときに動作しにくい場合があった。
【０００９】
また、これらの消臭具で用いられている消臭剤は粒状であるため、臭気との接触効率が比較的低く、必然的に粒状消臭剤を多く使用することになり、結果として消臭具が大きくなる場合があり、これらの点において改良の余地があった。
【００１０】
本発明は、上記従来の問題点に鑑みてなされたものであり、消臭効果を保持しつつ、小型化、薄型にでき、且つ柔軟性を与えることにより人体に装着したときに動作のしやすい人工肛門排便パウチ用消臭具を提供することを課題とする。
【課題を解決するための手段】
【００１１】
本発明は、上記の課題を解決するために、以下のことを特徴としている。
【００１２】
すなわち、本発明の人工肛門排便パウチ用消臭具は、人工肛門に装着される排便パウチの排気孔に取り付けられる人工肛門排便パウチ用消臭具であって、多孔質マットに金属酸化物を主成分とする触媒を担持させた成形体であるか、または成形体を少なくとも備えることを特徴とする。
【発明の効果】
【００１３】
本発明によれば、消臭効果を保持しつつ、小型化、薄型にでき、且つ柔軟性を与えることにより人体に装着したときに動作のしやすい人工肛門排便パウチ用消臭具を提供することが可能となる。
【図面の簡単な説明】
【００１４】
【図１】（ａ）は本発明の一実施形態の人工肛門排便パウチ用消臭具を示す概略斜視図であり、（ｂ）は概略断面拡大図である。
【図２】（ａ）は本発明の一実施形態の人工肛門排便パウチ用消臭具を取り付けた状態の排便パウチの概略側面断面図であり、（ｂ）は概略正面図である。
【図３】本発明の一実施形態の人工肛門排便パウチ用消臭具による臭気の消臭イメージを示す概略断面図である。
【図４】図４は、人工肛門排便パウチ用消臭具を装着するための取り付け部材の一実施形態を示す概略図である。
【図５】実施例で用いた試験装置を示す概略説明図である。
【発明を実施するための形態】
【００１５】
以下、発明を実施するための形態をあげて、本発明の人工肛門排便パウチ用消臭具（以下、単に消臭具と略称する）をさらに詳細に説明する。
【００１６】
図１（ａ）は本発明の一実施形態の消臭具を示す概略斜視図であり、図１（ｂ）は概略断面拡大図である。
【００１７】
図１（ａ）、図１（ｂ）に示したように、本実施形態の消臭具１は、人工肛門に装着される排便パウチの排気孔に取り付けられるものである。そして、多孔質マット３に金属酸化物を主成分とする触媒４を担持させた成形体２であるか、または前記成形体を少なくとも備えるものである。
【００１８】
多孔質マット３としては、熱可塑性樹脂の不織布又は発泡体を用いることができる。熱可塑性樹脂の不織布としては、通気性を有する熱可塑性樹脂の不織布であれば特に制限なく用いることができる。これらのものとしては、例えば、材質がナイロン繊維、ポリプロピレン繊維、ポリエステル繊維、ポリオレフイン繊維、レーヨン繊維等からなる熱可塑性樹脂の不織布を挙げることができる。なお、熱可塑性樹脂の不織布の通気量は、繊維の目付け量により調整することが可能であり、消臭具１の仕様により適宜決定することができるが、通常、１０〜３０ｇ／ｍ２の目付け量とするのが望ましい。
【００１９】
また、発泡体としては、気泡が連通し、通気性を有する発泡体であれば特に制限なく用いることができ、例えば、ウレタンフォーム、ポリエチレンフォーム、ウレタンフォームに活性炭を添着加工した活性炭フォーム等を挙げることができ、１０〜３０ｇ／ｍ２の密度のものが望ましい。ウレタンフォームに活性炭を添着加工した活性炭フォームとしては、例えば、クラレケミカル社製、クラシート（登録商標）として入手可能である。
【００２０】
触媒４は、常温（５〜３５℃）で消臭機能を発現する、金属酸化物を主成分とする触媒４であり、主成分の金属酸化物としては、例えば、酸化銅、二酸化マンガン、四酸化三コバルト等を挙げることができる。
【００２１】
なお、便から発生する臭気は、硫化水素やメチルメルカプタン等の硫黄系ガスの臭気と、アンモニアやトリメチルアミン等の窒素系ガスの臭気とを含んでいる。これらの臭気のうち、硫黄系ガスの臭気を消臭する金属酸化物としては二酸化マンガンが適しており、窒素系ガスの臭気を消臭する金属酸化物としては酸化銅が適している。
【００２２】
そのため、触媒４には少なくとも酸化銅、二酸化マンガンのいずれかを含むことが望ましい。また、これらの金属酸化物は、１種単独で用いてもよいし、２種以上を併用して用いてもよい。また、金属酸化物以外に、粉未状の活性炭を副成分として配合することもできる。粉末状の活性炭を配合することにより、更に消臭効果を向上させることができる。
【００２３】
また、触媒４には、本発明の効果を阻害しない範囲において、必要に応じて他の成分、例えば、着色剤、香料等を添加することもできる。
【００２４】
一方、触媒４はそのままでは多孔質マット３に固定化して成形体２にできないため、触媒４をバインダー等に分散させてスラリーとして、多孔質マット３に塗布し、乾燥させることにより、フィルター状の成形体２とすることができる。
【００２５】
バインダー等としては、本発明の効果を阻害しないものであれば特に制限なく用いることができ、例えば、コロイダルシリカ、アクリルエマルジョン、酢酸ビニルエマルジョン、スチレンエマルジョン等を挙げることができる。
【００２６】
成形体２は、そのままの状態で消臭具１として用いることができるが、成形体２の表面に通気量を調整するためのフィルター状のシートを貼着したり等して消臭具１とすることもできる。
【００２７】
また、消臭具１の一方の面に粘着剤の層５を形成することができる。粘着剤の層５を形成することにより、容易に排気孔への着脱を行うことができる。なお、粘着剤の層５を形成する場合には、通気性等を考慮して、消臭具１の縁に形成するか、通気性を有する粘着剤を用いるのが望ましい。
【００２８】
消臭具１の厚みや大きさ、形状は、装着する排便パウチの排気孔の大きさや形状等に応じて適宜決定することができるが、装着したときの違和感等を考慮した場合、厚み１〜１０ｍｍ、より好ましくは２〜４ｍｍ、大きさ５〜３０ｍｍ程度とするのが望ましい。
【００２９】
このような消臭具１によれば、消臭効果を保持しつつ、小型化、薄型にでき、且つ柔軟性を与えることにより人体に装着したときに動作のしやすい消臭具１とすることができる。
【００３０】
以下、消臭具１を排便パウチに装着した状態について図面を用いて詳述する。
【００３１】
図２（ａ）は本発明の一実施形態の消臭具を取り付けた状態の排便パウチの概略側面断面図であり、図２（ｂ）は概略正面図である。
【００３２】
図２（ａ）、図２（ｂ）に示したように、排便パウチ６は、例えば、軟質プラスチック製の袋体であり、便を内部に導入するための開口７と、開口７を保持するフランジ８と、開口７とは排便パウチ６において反対側に開口した排気孔９を備えている。フランジ８は、人工肛門患者の人工肛門部のフランジに接合されるものであり、排便パウチ６の上部に配置されている。また、消臭具１は粘着剤の層５により排気孔９を覆うように装着されている。
【００３３】
排気孔９は、排便パウチ６の上部で、開口７の位置と重ならない位置に設けられている。排気孔９をこの配置とすることにより、導入した便による消臭具１の汚染を防止することができる。
【００３４】
図３は、本発明の一実施形態の消臭具による臭気の消臭イメージを示す概略断面図である。
【００３５】
開口７から導入された便１０は排便パウチ６の下部に溜まり、発生した排便パウチ６内の臭気は、着衣等の圧迫により排気孔９に装着された消臭具１を通過し、その段階で消臭されて外部に放出される。
【００３６】
以上、本発明の消臭具１を一実施形態に基づいて説明したが、本発明の消臭具１は上記の実施形態に限定されるものではなく、その要旨を逸脱しない範囲内において種々の変更が可能である。
【００３７】
例えば、図２（ａ）、図２（ｂ）に示した構成の消臭具１では、片面に粘着剤の層５を形成して、排気孔９を覆うように装着したが、排気孔９の出口に消臭具１の取り付け部材を別途設けて、この取り付け部材により消臭具１を装着するようにしてもよい。
【００３８】
例えば、図４に示したように、Ｕ字型の形状を有するプラスチック製の取り付け部材１１が例示される。この場合、消臭具１に取り付け部材１１の開放されている側から内側に差し込むことにより装着することができる。
【００３９】
図４は、消臭具１を装着するための取り付け部材の一実施形態を示す概略図である。
【実施例】
【００４０】
以下、実施例により本発明をさらに詳しく説明するが、本発明はこれらの実施例に何ら限定されるものではない。
＜実施例１＞
（消臭具の作製）
触媒として、酸化銅２０質量部に対して二酸化マンガン８０質量部をステンレスビーカーに入れ、これに対して７００質量部のイオン交換水を投入し、ディスバーで２０分間撹拌して分散液を調整した。
【００４１】
次いで、この分散液１００質量部に対して、アクリルエマルジョン（ディー・エス・エムジャパン社製、スチレンアクリル樹脂エマルジョン）を１．８質量部加えて１０分間攪拌し、金属酸化物を主成分とする触媒を分散させたスラリーを調製した。
【００４２】
このスラリーに、目付け２０ｇ／ｍ２のポリプロピレン繊維からなる不織布（日本バイリーン社製）を浸漬後、直ちに引き上げ、過剰に付着したスラリーを取り除いた後、８０℃の乾燥機で恒量となるまで乾燥させて厚み３ｍｍの成形体を得た。
【００４３】
この成形体を直径２０ｍｍの円形にカットして消臭具を作製した。この消臭具は薄く、柔軟性に富むものであった。
（消臭能力試験）
作製した消臭具を図５に示す試験装置に装着して消臭能力試験を行った。
【００４４】
図５は、実施例で用いた試験装置を示す概略説明図である。
【００４５】
まず、試験装置の臭気袋１２に、硫化水素のガス濃度を１０ｐｐｍに調整した３Ｌのガスを注入して、消臭具１を通過した後のガスを消臭具１の下流側に位置する第１ガス取出し口１３から取り出してガス濃度を測定した。ガス濃度の測定は、ガス検知管法（ＪＩＳ  Ｋ  ０８０４）に準拠して行った。
【００４６】
臭気袋１２が３Ｌのガスで満たされている初期の負荷条件では第１ガス取出し口１３からの硫化水素のガス濃度は、検知管の検出限界以下の低濃度であった。
【００４７】
ガス検知管の１回当たりの吸引容量が１００ｍＬであるので、第１ガス取出し口１３からの吸引を３０回繰り返すことで、臭気袋１２内のガス全てを消臭具１に通過させた。この最大負荷の試験においても第１ガス取出し口１３からの硫化水素のガス濃度は検出限界以下であった。
＜実施例２＞
次に、メチルメルカプタンについても同様の消臭能力試験を行った。
【００４８】
実施例１で作製した消臭具１を図５の試験装置に装着し、臭気袋１２に、メチルメルカプタンのガス濃度を２ｐｐｍとした３Ｌのガスを注入して試験を開始した。
【００４９】
臭気袋１２が３Ｌのガスで満たされている初期の負荷条件では、消臭具１の下流側に位置する第１ガス取出し口１３からのガス濃度は検出限界以下であった。また、消臭具１を３Ｌ通過後の最大負荷の試験においてもメチルメルカプタンのガス濃度は検出限界以下であった。
【００５０】
これらの結果から、本発明の消臭具は、高い消臭効果を保持しつつ、薄く柔軟性に富む消臭具であることが確認された。
【００５１】
なお、図５の試験装置において、消臭具１の通過前のガスを、消臭具１の上流側に位置する第２ガス取出し口１４から取出してガス濃度を測定し、消臭具１の通過後のガスを、消臭具１の下流側に位置する第１ガス取出し口１３から取り出してガス濃度を測定して、それぞれのガス濃度から消臭率を求めることもできる。
【符号の説明】
【００５２】
１  人工肛門排便パウチ用消臭具
２  成形体
３  多孔質マット
４  触媒
５  粘着剤の層
６  排便パウチ
９  排気孔
【図１】
0006425168.tif 000002
【図２】
0006425168.tif 000003
【図３】
0006425168.tif 000004
【図４】
0006425168.tif 000005
【図５】
0006425168.tif 000006